【手続補正書】
【提出日】平成28年1月14日(2016.1.14)
【手続補正１】
【補正対象書類名】特許請求の範囲
【補正対象項目名】全文
【補正方法】変更
【補正の内容】
【特許請求の範囲】
【請求項１】
ワイヤレス通信の方法であって、
異なるＵＥにリソースの重複するセットを割り振ることであって、前記重複するリソースが、少なくとも、第１の構成タイプを有するリソースの第１のセットと、第２の構成タイプを有するリソースの第２のセットとを含み、リソースの前記第１のセットが、第１のＵＥに割り振られ、チャネル状態情報（ＣＳＩ）測定のためのものであり、リソースの前記第２のセットが、第２のＵＥに割り振られ、受信電力測定のためのものであり、ここにおいて、リソースの前記第１のセットとリソースの前記第２のセットとが少なくとも１つのリソースを共通して有し、前記第１の構成タイプが、前記第２の構成タイプとは異なり、前記第１の構成タイプおよび前記第２の構成タイプの各々が、少なくとも、リソースタイプ、リソースパターン、および前記リソースタイプについての送信周期性を備える、割り振ることと、
リソースの前記第１のセットに少なくとも部分的に基づいてチャネル状態情報報告を受信することと、
リソースの前記第２のセットに少なくとも部分的に基づいて第１の電力測定報告を受信することと
を備える、ワイヤレス通信の方法。
【請求項２】
前記第１のセットよりも前記第２のセットにより多くの数のリソースが割り振られる、請求項１に記載の方法。
【請求項３】
前記第１のＵＥに前記第１のセットの前記割振りを送信することと、
前記第２のＵＥに前記第２のセットの前記割振りを送信することと
をさらに備える、請求項１に記載の方法。
【請求項４】
第３のＵＥに前記第１のセットの前記割振りと前記第２のセットの前記割振りとを送信することをさらに備える、請求項３に記載の方法。
【請求項５】
前記第３のＵＥの競合解消スキームに少なくとも部分的に基づいて、前記第３のＵＥから、第２の電力測定報告、チャネル状態情報報告、またはそれらの組合せを受信することをさらに備える、請求項４に記載の方法。
【請求項６】
少なくとも前記第２の電力測定報告、前記チャネル状態情報報告、またはそれらの組合せを、許可、イベント基準、または報告タイムラインに少なくとも部分的に基づいてトリガされるように構成することをさらに備える、請求項５に記載の方法。
【請求項７】
少なくとも前記第２の電力測定報告、前記チャネル状態情報報告、またはそれらの組合せが、チャネル状態情報、基準信号受信電力報告、またはそれらの組合せに少なくとも部分的に基づいて差分的に報告される、請求項５に記載の方法。
【請求項８】
ワイヤレス通信のための装置であって、
メモリと、
前記メモリに結合された少なくとも１つのプロセッサと
を備え、前記少なくとも１つのプロセッサは、
異なるＵＥにリソースの重複するセットを割り振ることであって、前記重複するリソースが、少なくとも、第１の構成タイプを有するリソースの第１のセットと、第２の構成タイプを有するリソースの第２のセットとを含み、リソースの前記第１のセットがチャネル状態情報（ＣＳＩ）のために第１のＵＥに割り振られ、リソースの前記第２のセットが受信電力測定のために第２のＵＥに割り振られ、ここにおいて、リソースの前記第１のセットとリソースの前記第２のセットとが少なくとも１つのリソースを共通して有し、前記第１の構成タイプが前記第２の構成タイプとは異なり、前記第１の構成タイプおよび前記第２の構成タイプの各々が、少なくとも、リソースタイプ、リソースパターン、および前記リソースタイプについての送信周期性を備える、割り振ることと、
リソースの前記第１のセットに少なくとも部分的に基づいてチャネル状態情報報告を受信することと、
リソースの前記第２のセットに少なくとも部分的に基づいて第１の電力測定報告を受信することと
を行うように構成された、装置。
【請求項９】
前記第１のセットよりも前記第２のセットにより多くの数のリソースが割り振られる、請求項８に記載の装置。
【請求項１０】
前記少なくとも１つのプロセッサが、
前記第１のＵＥに前記第１のセットの前記割振りを送信することと、
前記第２のＵＥに前記第２のセットの前記割振りを送信することと
を行うようにさらに構成された、請求項８に記載の装置。
【請求項１１】
前記少なくとも１つのプロセッサが、第３のＵＥに前記第１のセットの前記割振りと前記第２のセットの前記割振りとを送信するようにさらに構成された、請求項１０に記載の装置。
【請求項１２】
前記少なくとも１つのプロセッサが、前記第３のＵＥの競合解消スキームに少なくとも部分的に基づいて、前記第３のＵＥから、少なくとも第２の電力測定報告、チャネル状態情報報告、またはそれらの組合せを受信するようにさらに構成された、請求項１１に記載の装置。
【請求項１３】
前記少なくとも１つのプロセッサが、少なくとも前記第２の電力測定報告、前記チャネル状態情報報告、またはそれらの組合せを、許可、イベント基準、または報告タイムラインに少なくとも部分的に基づいてトリガされるように構成するようにさらに構成された、請求項１２に記載の装置。
【請求項１４】
少なくとも前記第２の電力測定報告、前記チャネル状態情報報告、またはそれらの組合せが、チャネル状態情報、基準信号受信電力報告、またはそれらの組合せに少なくとも部分的に基づいて差分的に報告される、請求項１２に記載の装置。
【請求項１５】
ワイヤレス通信のための装置であって、
異なるＵＥにリソースの重複するセットを割り振るための手段であって、前記重複するリソースが、少なくとも、第１の構成タイプを有するリソースの第１のセットと、第２の構成タイプを有するリソースの第２のセットとを含み、リソースの前記第１のセットがチャネル状態情報（ＣＳＩ）のために第１のＵＥに割り振られ、リソースの前記第２のセットが受信電力測定のために第２のＵＥに割り振られ、ここにおいて、リソースの前記第１のセットとリソースの前記第２のセットとが少なくとも１つのリソースを共通して有し、前記第１の構成タイプが、前記第２の構成タイプとは異なり、前記第１の構成タイプおよび前記第２の構成タイプの各々が、少なくとも、リソースタイプ、リソースパターン、および前記リソースタイプについての送信周期性を備える、割り振るための手段と、
リソースの前記第１のセットに少なくとも部分的に基づいてチャネル状態情報報告を受信するための手段と、
リソースの前記第２のセットに少なくとも部分的に基づいて第１の電力測定報告を受信するための手段と
を備える、ワイヤレス通信のための装置。
【請求項１６】
ワイヤレス通信のためのコンピュータプログラム製品であって、前記コンピュータプログラム製品が、
プログラムコードを記録した非一時的コンピュータ可読媒体を備え、前記プログラムコードは、
異なるＵＥにリソースの重複するセットを割り振るための、プロセッサによって実行されるプログラムコードであって、前記重複するリソースが、少なくとも、第１の構成タイプを有するリソースの第１のセットと、第２の構成タイプを有するリソースの第２のセットとを含み、リソースの前記第１のセットがチャネル状態情報（ＣＳＩ）のために第１のＵＥに割り振られ、リソースの前記第２のセットが受信電力測定のために第２のＵＥに割り振られ、ここにおいて、リソースの前記第１のセットとリソースの前記第２のセットとが少なくとも１つのリソースを共通して有し、前記第１の構成タイプが、前記第２の構成タイプとは異なり、前記第１の構成タイプおよび前記第２の構成タイプの各々が、少なくとも、リソースタイプ、リソースパターン、および前記リソースタイプについての送信周期性を備える、プログラムコードと、
リソースの前記第１のセットに少なくとも部分的に基づいてチャネル状態情報報告を受信するためのプログラムコードと、
リソースの前記第２のセットに少なくとも部分的に基づいて第１の電力測定報告を受信するためのプログラムコードと
を備える、コンピュータプログラム製品。
【請求項１７】
前記第１の構成タイプが、ＣＳＩ−基準信号受信電力（ＲＳＲＰ）測定のために少なくともＣＳＩ−基準信号（ＲＳ）リソースを備え、前記第２の構成タイプが、フィードバックのために少なくともＣＳＩ−ＲＳリソースを備える、請求項１に記載の方法。
【請求項１８】
前記第１の構成タイプは、ゼロ電力ＣＳＩ−ＲＳリソース、非ゼロ電力ＣＳＩ−ＲＳリソース、またはそれらの組合せを備える、請求項１７に記載の方法。
【請求項１９】
前記第２の構成タイプは、ゼロ電力ＣＳＩ−ＲＳリソース、非ゼロ電力ＣＳＩ−ＲＳリソース、またはそれらの組合せを備える、請求項１７に記載の方法。
【請求項２０】
前記非ゼロ電力ＣＳＩ−ＲＳリソースを前記ゼロ電力ＣＳＩ−ＲＳリソースよりも優先させることによって、前記ゼロ電力ＣＳＩ−ＲＳリソースと前記非ゼロ電力ＣＳＩ−ＲＳリソースとの間の競合を解消することをさらに備える、請求項１９に記載の方法。
【請求項２１】
前記第１の構成タイプが、ＣＳＩ−基準信号受信電力（ＲＳＲＰ）測定のために少なくともＣＳＩ−基準信号（ＲＳ）リソースを備え、前記第２の構成タイプが、フィードバックのために少なくともＣＳＩ−ＲＳリソースを備える、請求項８に記載の装置。
【請求項２２】
前記第１の構成タイプが、ＣＳＩ−基準信号受信電力（ＲＳＲＰ）測定のために少なくともＣＳＩ−基準信号（ＲＳ）リソースを備え、前記第２の構成タイプが、フィードバックのために少なくともＣＳＩ−ＲＳリソースを備える、請求項１５に記載の装置。
【請求項２３】
前記第１の構成タイプが、ＣＳＩ−基準信号受信電力（ＲＳＲＰ）測定のために少なくともＣＳＩ−基準信号（ＲＳ）リソースを備え、前記第２の構成タイプが、フィードバックのために少なくともＣＳＩ−ＲＳリソースを備える、請求項１６に記載のコンピュータプログラム製品。
【手続補正２】
【補正対象書類名】明細書
【補正対象項目名】０１０３
【補正方法】変更
【補正の内容】
【０１０３】
[00117]本開示についての以上の説明は、いかなる当業者も本開示を作成または使用することができるように与えたものである。本開示への様々な修正は当業者には容易に明らかとなり、本明細書で定義した一般原理は、本開示の趣旨または範囲から逸脱することなく他の変形形態に適用され得る。したがって、本開示は、本明細書で説明した例および設計に限定されるものではなく、本明細書で開示した原理および新規の特徴に合致する最も広い範囲を与えられるべきである。
以下に、本願出願の当初の特許請求の範囲に記載された発明を付記する。
［書類名］特許請求の範囲
［Ｃ１］
ワイヤレス通信の方法であって、
異なるＵＥにリソースの重複するセットを割り振ることであって、前記重複するリソースが少なくともリソースの第１のセットとリソースの第２のセットとを含み、リソースの前記第１のセットがチャネル状態情報（ＣＳＩ）測定のために第１のＵＥに割り振られ、リソースの前記第２のセットが受信電力測定のために第２のＵＥに割り振られる、割り振ることと、
リソースの前記第１のセットに少なくとも部分的に基づいてチャネル状態情報報告を受信することと、
リソースの前記第２のセットに少なくとも部分的に基づいて受信電力測定報告を受信することと
を備える、ワイヤレス通信の方法。
［Ｃ２］
前記第１のセットよりも前記第２のセットにより多くの数のリソースが割り振られる、Ｃ１に記載の方法。
［Ｃ３］
前記第１のＵＥに前記第１のセットの前記割振りを送信することと、
前記第２のＵＥに前記第２のセットの前記割振りを送信することと
をさらに備える、Ｃ１に記載の方法。
［Ｃ４］
第３のＵＥに前記第１のセットの前記割振りと前記第２のセットの前記割振りとを送信することをさらに備える、Ｃ３に記載の方法。
［Ｃ５］
前記第３のＵＥの競合解消スキームに少なくとも部分的に基づいて、前記第３のＵＥから、電力測定報告、チャネル状態情報報告、またはそれらの組合せのうちの１つまたは複数を受信することをさらに備える、Ｃ４に記載の方法。
［Ｃ６］
前記電力測定報告、前記チャネル状態情報報告、またはそれらの組合せのうちの１つまたは複数を、許可、イベント基準、または報告タイムラインに少なくとも部分的に基づいてトリガされるように構成することをさらに備える、Ｃ５に記載の方法。
［Ｃ７］
前記電力測定報告、前記チャネル状態情報報告、またはそれらの組合せのうちの１つまたは複数が、１つのチャネル状態情報基準信号ベースの基準信号受信電力報告に少なくとも部分的に基づいて差分的に報告される、Ｃ５に記載の方法。
［Ｃ８］
グループ化チャネル状態情報基準信号（ＣＳＩ−ＲＳ）をバーストで受信することであって、前記バーストが第１の周期性を有する、受信することを備える、ワイヤレス通信の方法。
［Ｃ９］
第２の周期性で少なくとも１つの非グループ化ＣＳＩ−ＲＳを受信することをさらに備える、Ｃ８に記載の方法。
［Ｃ１０］
前記第２の周期性が第２の動作モードに対応し、前記第１の周期性が第１の動作モードに対応する、Ｃ９に記載の方法。
［Ｃ１１］
前記第２の周期性と前記第１の周期性の両方が同じモードに対応する、Ｃ９に記載の方法。
［Ｃ１２］
前記第２の周期性が非間欠受信（ＤＲＸ）モードに対応し、前記第１の周期性がＤＲＸモードに対応する、Ｃ９に記載の方法。
［Ｃ１３］
前記バーストの間の制御領域が非バーストの間の制御領域よりも大きい、Ｃ８に記載の方法。
［Ｃ１４］
ワイヤレス通信のための装置であって、
メモリと、
前記メモリに結合された少なくとも１つのプロセッサと
を備え、前記少なくとも１つのプロセッサは、
異なるＵＥにリソースの重複するセットを割り振ることであって、前記重複するリソースが少なくともリソースの第１のセットとリソースの第２のセットとを含み、リソースの前記第１のセットがチャネル状態情報（ＣＳＩ）のために第１のＵＥに割り振られ、リソースの前記第２のセットが受信電力測定のために第２のＵＥに割り振られる、割り振ることと、
リソースの前記第１のセットに少なくとも部分的に基づいてチャネル状態情報報告を受信することと、
リソースの前記第２のセットに少なくとも部分的に基づいて受信電力測定報告を受信することと
を行うように構成された、装置。
［Ｃ１５］
前記第１のセットよりも前記第２のセットにより多くの数のリソースが割り振られる、Ｃ１４に記載の装置。
［Ｃ１６］
前記少なくとも１つのプロセッサが、
前記第１のＵＥに前記第１のセットの前記割振りを送信することと、
前記第２のＵＥに前記第２のセットの前記割振りを送信することと
を行うようにさらに構成された、Ｃ１４に記載の装置。
［Ｃ１７］
前記少なくとも１つのプロセッサが、第３のＵＥに前記第１のセットの前記割振りと前記第２のセットの前記割振りとを送信するようにさらに構成された、Ｃ１６に記載の装置。
［Ｃ１８］
前記少なくとも１つのプロセッサが、前記第３のＵＥの競合解消スキームに少なくとも部分的に基づいて、前記第３のＵＥから、電力測定報告、チャネル状態情報報告、またはそれらの組合せのうちの１つまたは複数を受信するようにさらに構成された、Ｃ１７に記載の装置。
［Ｃ１９］
前記少なくとも１つのプロセッサが、前記電力測定報告、前記チャネル状態情報報告、またはそれらの組合せのうちの１つまたは複数を、許可、イベント基準、または報告タイムラインに少なくとも部分的に基づいてトリガされるように構成するようにさらに構成された、Ｃ１８に記載の装置。
［Ｃ２０］
前記電力測定報告、前記チャネル状態情報報告、またはそれらの組合せのうちの１つまたは複数が、１つのチャネル状態情報基準信号ベースの基準信号受信電力報告に少なくとも部分的に基づいて差分的に報告される、Ｃ１８に記載の装置。
［Ｃ２１］
ワイヤレス通信のための装置であって、
メモリと、
前記メモリに結合された少なくとも１つのプロセッサと
を備え、前記少なくとも１つのプロセッサは、グループ化チャネル状態情報基準信号（ＣＳＩ−ＲＳ）をバーストで受信することであって、前記バーストが第１の周期性を有する、受信することを行うように構成された、装置。
［Ｃ２２］
前記少なくとも１つのプロセッサが、第２の周期性で少なくとも１つの非グループ化ＣＳＩ−ＲＳを受信するようにさらに構成された、Ｃ２１に記載の装置。
［Ｃ２３］
前記第２の周期性が第２の動作モードに対応し、前記第１の周期性が第１の動作モードに対応する、Ｃ２２に記載の装置。
［Ｃ２４］
前記第２の周期性と前記第１の周期性の両方が同じモードに対応する、Ｃ２２に記載の装置。
［Ｃ２５］
前記第２の周期性が非間欠受信（ＤＲＸ）モードに対応し、前記第１の周期性がＤＲＸモードに対応する、Ｃ２２に記載の装置。
［Ｃ２６］
前記バーストの間の制御領域が非バーストの間の制御領域よりも大きい、Ｃ２１に記載の装置。
［Ｃ２７］
ワイヤレス通信のための装置であって、
異なるＵＥにリソースの重複するセットを割り振るための手段であって、前記重複するリソースが少なくともリソースの第１のセットとリソースの第２のセットとを含み、リソースの前記第１のセットがチャネル状態情報（ＣＳＩ）のために第１のＵＥに割り振られ、リソースの前記第２のセットが受信電力測定のために第２のＵＥに割り振られる、割り振るための手段と、
リソースの前記第１のセットに少なくとも部分的に基づいてチャネル状態情報報告を受信するための手段と、
リソースの前記第２のセットに少なくとも部分的に基づいて受信電力測定報告を受信するための手段と
を備える、ワイヤレス通信のための装置。
［Ｃ２８］
ワイヤレス通信のための装置であって、
グループ化チャネル状態情報基準信号（ＣＳＩ−ＲＳ）をバーストで受信するための手段であって、前記バーストが第１の周期性を有する、受信するための手段と、
前記受信されたグループ化ＣＳＩ−ＲＳに応答して、チャネル状態情報報告、受信電力測定報告、またはそれらの組合せのうちの１つまたは複数を送信するための手段と
を備える、ワイヤレス通信のための装置。
［Ｃ２９］
第２の周期性で少なくとも１つの非グループ化ＣＳＩ−ＲＳを受信するための手段をさらに備える、Ｃ２８に記載の装置。
［Ｃ３０］
ワイヤレス通信のためのコンピュータプログラム製品であって、前記コンピュータプログラム製品が、
プログラムコードを記録した非一時的コンピュータ可読媒体を備え、前記プログラムコードは、
異なるＵＥにリソースの重複するセットを割り振るためのプログラムコードであって、前記重複するリソースが少なくともリソースの第１のセットとリソースの第２のセットとを含み、リソースの前記第１のセットがチャネル状態情報（ＣＳＩ）のために第１のＵＥに割り振られ、リソースの前記第２のセットが受信電力測定のために第２のＵＥに割り振られる、プログラムコードと、
リソースの前記第１のセットに少なくとも部分的に基づいてチャネル状態情報報告を受信するためのプログラムコードと、
リソースの前記第２のセットに少なくとも部分的に基づいて受信電力測定報告を受信するためのプログラムコードと
を備える、コンピュータプログラム製品。
［Ｃ３１］
ワイヤレス通信のためのコンピュータプログラム製品であって、前記コンピュータプログラム製品が、
プログラムコードを記録した非一時的コンピュータ可読媒体を備え、前記プログラムコードは、
グループ化チャネル状態情報基準信号（ＣＳＩ−ＲＳ）をバーストで受信するためのプログラムコードであって、前記バーストが第１の周期性を有する、プログラムコードを備える、コンピュータプログラム製品。
［Ｃ３２］
前記プログラムコードが、第２の周期性で少なくとも１つの非グループ化ＣＳＩ−ＲＳを受信するためのプログラムコードをさらに備える、Ｃ３１に記載のコンピュータプログラム製品。